(57)【特許請求の範囲】
【請求項１】
第１及び第２の撮影装置を取り付けて、前記第１及び第２の撮影装置を一体化する撮影装置用アダプタであり、
前記第１の撮影装置が備えるストロボ装置取り付け用のアクセサリシューに取り付けるためのアクセサリシュー取り付け部と、
前記第２の撮影装置を取り付けるための取り付け部と、
前記アクセサリシューに前記アクセサリシュー取り付け部が取り付けられた状態で、前記第１の撮影装置のレリーズボタンが押下されることによって前記第１の撮影装置より出力されたＸ接点制御信号に基づいて、前記第２の撮影装置による記録を開始する記録開始制御信号を前記第２の撮影装置に供給する記録開始制御信号生成部と、
所定の角度以上傾いたことを検知して、傾き検知信号を出力する傾き検知部と、
前記記録開始制御信号が前記記録開始制御信号生成部から前記第２の撮影装置に供給した場合にのみ、前記傾き検知信号に基づいて、前記第２の撮影装置による記録を停止する記録停止制御信号を前記第２の撮影装置に供給する記録停止制御信号生成部と、
を備えることを特徴とする撮影装置用アダプタ。
【請求項２】
前記取り付け部は、前記第２の撮影装置の底面に備えられている三脚装着用のねじ穴に螺合させて、前記第１の撮影装置及び前記第２の撮影装置を一体化する三脚ねじで構成されている
ことを特徴とする請求項１に記載の撮影装置用アダプタ。
【請求項３】
レリーズボタンが押下されたら、他の撮影装置による記録を開始するための記録開始制御信号を生成する記録開始制御信号生成部と、
所定の角度以上傾いたことを検知して、傾き検知信号を出力する傾き検知部と、
前記記録開始制御信号が前記記録開始制御信号生成部から前記他の撮影装置に供給した場合にのみ、前記傾き検知信号に基づいて、前記他の撮影装置による記録を停止するための記録停止制御信号を生成する記録停止制御信号生成部と、
前記他の装置による記録を開始させるために前記記録開始制御信号を出力し、前記他の装置による記録を停止させるための前記記録停止制御信号を出力する制御信号出力部と、
を備える撮影装置。
【発明の詳細な説明】
【技術分野】
【０００１】
本発明は、スチルカメラ等の第１の撮影装置の操作に連動させて、動画像を撮影して記録するビデオカメラ等の第２の撮影装置による動画像の記録の開始及び停止を自動的に行わせることができる撮影装置用アダプタ及び撮影装置に関する。
【背景技術】
【０００２】
１人の撮影者が、静止画像を撮影するスチルカメラと動画像を撮影するビデオカメラの両方を携行し、それらを交互に用いて撮影するという光景がしばしば見られる。これは、撮影対象を静止画像と動画像の両方で残したいというニーズがあるからである。しかしながら、１人の撮影者が２台の撮影装置を同時に使用するのは容易ではなく、同時使用を断念せざるを得ない場合もある。
【０００３】
特許文献１には、ビデオカメラとスチルカメラの２台の撮影装置を同時に使用する技術が記載されている。
【先行技術文献】
【特許文献】
【０００４】
【特許文献１】特開平８−３２１９８１号公報
【発明の概要】
【発明が解決しようとする課題】
【０００５】
動画像の撮影中に静止画像も同時に撮影できる撮影装置が市販されている。この場合、例えばズームした状態の画角で静止画像を撮影した場合、動画像もほぼ同じ画角でしか撮影できないことになる。動画像を固定的な焦点距離を維持して撮影し、一方で静止画像をズームした状態の画角で撮影するという、動画像の撮影と静止画像の撮影とを個別に設定することはできない。一般的に動画像と静止画像を同時に撮影できる撮影装置はいずれか一方の撮影性能が不十分であったり、機能が制限されていたりして、ユーザが満足できる状況ではない。
【０００６】
特許文献１に記載の技術はこのような問題点をある程度解消することができるが、２台の撮影装置を同時に使用するために特別な通信手段が必要になる。特別な通信手段を設けると２台の撮影装置がいずれも高価となり、好ましくない。
【０００７】
本発明はこのような問題点に鑑み、特別な通信手段を必要とすることなく、スチルカメラ等の第１の撮影装置による操作のみでビデオカメラ等の第２の撮影装置による動画像の記録の開始及び停止を制御することができる撮影装置用アダプタ及び撮影装置を提供することを目的とする。
【課題を解決するための手段】
【０００８】
本発明は、上述した従来の技術の課題を解決するため、第１及び第２の撮影装置（１１，３１〜３３）を取り付けて、前記第１及び第２の撮影装置を一体化する撮影装置用アダプタ（２１〜２３）であり、前記第１の撮影装置が備えるストロボ装置取り付け用のアクセサリシュー（１１１）に取り付けるためのアクセサリシュー取り付け部（２１２，２３２）と、前記第２の撮影装置を取り付けるための取り付け部（２１３，２３３）と、前記アクセサリシューに前記アクセサリシュー取り付け部が取り付けられた状態で、前記第１の撮影装置のレリーズボタン（１１３）が押下されることによって前記第１の撮影装置より出力されたＸ接点制御信号に基づいて、前記第２の撮影装置による記録を開始する記録開始制御信号を前記第２の撮影装置に供給する記録開始制御信号生成部（２１５，２１６，２２１，２３５）と、所定の角度以上傾いたことを検知して、傾き検知信号を出力する傾き検知部（２１７）と、前記記録開始制御信号が前記記録開始制御信号生成部から前記第２の撮影装置に供給した場合にのみ、前記傾き検知信号に基づいて、前記第２の撮影装置による記録を停止する記録停止制御信号を前記第２の撮影装置に供給する記録停止制御信号生成部（２１５，２１６，２２１，２３５）とを備えることを特徴とする撮影装置用アダプタを提供する。
【０００９】
上記の撮影装置用アダプタにおいて、前記取り付け部は、前記第２の撮影装置の底面に備えられている三脚装着用のねじ穴に螺合させて、前記第１の撮影装置及び前記第２の撮影装置を一体化する三脚ねじで構成されていることが好ましい。
【００１０】
さらに、本発明は、上述した従来の技術の課題を解決するため、レリーズボタン（１１３）が押下されたら、他の撮影装置（３５，３６）による記録を開始するための記録開始制御信号を生成する記録開始制御信号生成部（２１５，２１６，２３４）と、所定の角度以上傾いたことを検知して、傾き検知信号を出力する傾き検知部（２１７）と、前記記録開始制御信号が前記記録開始制御信号生成部から前記他の撮影装置に供給した場合にのみ、前記傾き検知信号に基づいて、前記他の撮影装置による記録を停止するための記録停止制御信号を生成する記録停止制御信号生成部（２１５，２１６，２３４）と、前記他の装置による記録を開始させるために前記記録開始制御信号を出力し、前記他の装置による記録を停止させるための前記記録停止制御信号を出力する制御信号出力部（１５１，２３５）とを備える撮影装置（１５，１６）を提供する。
【発明の効果】
【００１１】
本発明の撮影装置用アダプタ及び撮影装置によれば、特別な通信手段を必要とすることなく、スチルカメラ等の第１の撮影装置による操作のみでビデオカメラ等の第２の撮影装置による動画像の記録の開始及び停止を制御することができる。
【図面の簡単な説明】
【００１２】
【図１】第１実施形態を示すブロック図である。
【図２】スチルカメラ１１を示す斜視図である。
【図３】撮影装置用アダプタ２１を示す斜視図である。
【図４】第１実施形態の動作説明図である。
【図５】第１実施形態の動作説明図である。
【図６】第１実施形態の動作を示すフローチャートである。
【図７】第２実施形態を示すブロック図である。
【図８】第２実施形態の動作説明図である。
【図９】第２実施形態の動作を示すフローチャートである。
【図１０】第３実施形態を示すブロック図である。
【図１１】撮影装置用アダプタ２３を示す斜視図である。
【図１２】第４実施形態を示すブロック図である。
【図１３】ビデオカメラ３４を示す斜視図である。
【図１４】スチルカメラ１１とビデオカメラ３４とを一体化した状態を示す斜視図である。
【図１５】図１４の正面図及び側面図である。
【図１６】第５実施形態を示すブロック図である。
【図１７】第５実施形態で用いるメニュー画面を示す図である。
【図１８】第６実施形態を示すブロック図である。
【図１９】スチルカメラ１６を示す斜視図である。
【図２０】ビデオカメラ３６を示す斜視図である。
【図２１】スチルカメラ１６とビデオカメラ３６とを一体化した状態を示す斜視図である。
【図２２】第６実施形態で用いるメニュー画面を示す図である。
【発明を実施するための形態】
【００１３】
以下、本発明の撮影装置用アダプタ及び撮影装置の各実施形態について、添付図面を参照して説明する。各実施形態においては、動画像を撮影して記録する撮影装置がいわゆるビデオカメラ、静止画像を撮影して記録する撮影装置がいわゆるデジタルスチルカメラ（以下、単にスチルカメラと略記する）の場合を例とする。
【００１４】
＜第１実施形態＞
図１において、スチルカメラ１１には撮影装置用アダプタ（以下、アダプタと略記する）２１が接続され、アダプタ２１にはビデオカメラ３１が接続されている。スチルカメラ１１は、図２に示すように、ストロボ装置を取り付けるためのアクセサリシュー１１１を備えている。アクセサリシュー１１１はＸ接点（端子）１１２を有する。Ｘ接点１１２の規格はＩＳＯ５１８で定められている。アクセサリシュー１１１にストロボ装置が接続され、レリーズボタン（シャッターボタン）１１３が押下された場合には、スチルカメラ１１はレリーズボタン１１３の押下に連動させてＸ接点の接続回路を制御し、ストロボ装置を発光させる。
【００１５】
第１実施形態においては、スチルカメラ１１が備えるアクセサリシュー１１１にアダプタ２１を接続する。アダプタ２１は、ビデオカメラ３１による動画像の記録の開始及び停止を制御する。アダプタ２１は図３に示すような外観形状であり、本体部２１１，アクセサリシュー取り付け部２１２，三脚ねじ２１３，トリガ出力プラグ２１４を有する。スチルカメラ１１のアクセサリシュー１１１にアクセサリシュー取り付け部２１２を係合させて、アクセサリシュー１１１にアダプタ２１を接続する。ビデオカメラ３１の底面に備えられている三脚装着用のねじ穴に三脚ねじ２１３を螺合させる。これにより、スチルカメラ１１とビデオカメラ３１とはアダプタ２１を介して一体化する。
【００１６】
三脚ねじ２１３は、アダプタ２１にビデオカメラ３１を取り付けるための取り付け部の一例であり、アダプタ２１とビデオカメラ３１とを接続する構成は三脚ねじ２１３に限定されない。
【００１７】
近年、スチルカメラやビデオカメラは一段と小型化が進んでいる。スチルカメラ１１とビデオカメラ３１とを一体化してもさほど大型化せず、撮影の際の操作性にほとんど影響を与えない。
【００１８】
図１に示すように、スチルカメラ１１は内部構成としてＸ接点制御出力部１１４を有する。アダプタ２１は、本体部２１１の内部構成として、トリガ出力制御判断部２１５，トリガ出力信号生成部２１６，傾き検知部２１７を有する。ビデオカメラ３１は内部構成として、記録制御部３１１，記録部３１２を有する。スチルカメラ１１のレリーズボタン１１３を押下すると、Ｘ接点制御出力部１１４はＸ接点１１２よりＸ接点制御信号を出力する。Ｘ接点制御信号はトリガ出力制御判断部２１５に入力される。トリガ出力制御判断部２１５は、Ｘ接点制御信号が入力された場合には、トリガ出力信号生成部２１６が第１のトリガ出力信号を生成するようトリガ出力信号生成部２１６を制御する。
【００１９】
第１のトリガ出力信号は、ビデオカメラ３１のトリガ信号入力端子を介して記録制御部３１１に入力される。記録制御部３１１は第１のトリガ出力信号が入力された場合には、撮影している動画像の記録を開始するよう記録部３１２を制御する。即ち、第１のトリガ出力信号は記録開始制御信号である。トリガ出力制御判断部２１５及びトリガ出力信号生成部２１６は、Ｘ接点制御信号に基づいて、ビデオカメラ３１による記録を開始する記録開始制御信号をビデオカメラ３１に供給する記録開始制御信号生成部となっている。
【００２０】
このように、第１実施形態においては、スチルカメラ１１のレリーズボタン１１３を押下すると、ビデオカメラ３１による動画像の記録が自動的に開始される。
【００２１】
スチルカメラ１１を所定の角度以上傾けると、傾き検知部２１７は所定の角度以上傾いたことを検知して、傾き検知信号をトリガ出力制御判断部２１５に入力する。トリガ出力制御判断部２１５は、傾き検知信号が入力された場合には、トリガ出力信号生成部２１６が第２のトリガ出力信号を生成するようトリガ出力信号生成部２１６を制御する。同様に、第２のトリガ出力信号は、ビデオカメラ３１のトリガ信号入力端子を介して記録制御部３１１に入力される。
【００２２】
記録制御部３１１は第２のトリガ出力信号が入力された場合には、撮影している動画像の記録を停止するよう記録部３１２を制御する。即ち、第２のトリガ出力信号は記録停止制御信号である。トリガ出力制御判断部２１５及びトリガ出力信号生成部２１６は、傾き検知信号に基づいて、ビデオカメラ３１による記録を停止する記録停止制御信号をビデオカメラ３１に供給する記録停止制御信号生成部となっている。
【００２３】
このように、第１実施形態においては、スチルカメラ１１（またはビデオカメラ３１）を傾けると、ビデオカメラ３１による動画像の記録が自動的に停止される。
【００２４】
図４を用いて以上の動作について説明する。図４において、（Ａ）はレリーズボタン１１３の押下によるＸ接点制御信号、（Ｂ）は傾き検知部２１７からの傾き検知信号、（Ｃ）はビデオカメラ３１に入力される第１，第２のトリガ出力信号、（Ｄ）はビデオカメラ３１の記録と記録停止の状態である。トリガ出力信号は、論理レベルがＨからＬそして再びＨへ遷移する（または、ＬからＨそして再びＬへ遷移する）１個のパルス信号である。
【００２５】
図５は、レリーズボタン１１３が２回押下されてＸ接点制御信号が２回出力された場合、傾き検知信号が２回出力された場合を示している。図５（Ａ）〜（Ｄ）は、図４（Ａ）〜（Ｄ）に対応している。Ｘ接点制御信号や傾き検知信号が複数回出力した場合でも、図５（Ｃ）に示すように、第１，第２のトリガ出力信号は１回だけ出力されるようにする。
【００２６】
図６は第１実施形態の動作を示すフローチャートである。図６において、アダプタ２１は、ステップＳ１にてレリーズボタン１１３が押下されたか否か判定し、押下されたらステップＳ２にて、第１のトリガ出力信号を出力してビデオカメラ３１による動画像の記録を開始させる。そして、アダプタ２１は、ステップＳ３にて所定の角度以上傾いたか否か判定し、所定の角度以上傾いたらステップＳ４にて、第２のトリガ出力信号を出力してビデオカメラ３１による動画像の記録を停止させる。
【００２７】
例えば、ビデオカメラ３１の画角は、スチルカメラ１１の画角よりも広い画角に固定して使用する。ビデオカメラ３１の画角内に、スチルカメラ１１のレンズ（望遠レンズ等）が映り込まないような形状とする。
【００２８】
第１実施形態によれば、スチルカメラ１１及びビデオカメラ３１はそれぞれ既存の構成でよく、特別な通信手段を必要としない。
【００２９】
＜第２実施形態＞
第２実施形態は、トリガ信号入力端子の代わりにワイヤードリモコン端子を用いて記録の開始と停止を制御する構成である。ビデオカメラがトリガ信号入力端子を有していない場合に好適な構成である。図７において、図１と同一部分には同一符号を付し、その説明を省略する。
【００３０】
図７において、アダプタ２２は、トリガ出力信号生成部２１６の代わりにコマンド生成部２２１を有する。ビデオカメラ３２は、記録制御部３１１，記録部３１２，コマンド受信部３２１を有する。アダプタ２２の外観形状は図３と同様であり、第１実施形態と同様、スチルカメラ１１とビデオカメラ３２とはアダプタ２２を介して一体化される。
【００３１】
トリガ出力制御判断部２１５は、Ｘ接点制御信号が入力された場合には、コマンド生成部２２１が第１のコマンド信号を生成するようコマンド生成部２２１を制御する。第１のコマンド信号は、連続した複数のパルスの組み合わせによるリモコンコード信号である。第１のコマンド信号は、ビデオカメラ３２のワイヤードリモコン端子を介してコマンド受信部３２１に入力される。コマンド受信部３２１は第１のコマンド信号が入力された場合には、記録制御部３１１に記録開始信号を供給する。第１のコマンド信号は記録開始制御信号である。
【００３２】
記録制御部３１１は記録開始信号が入力された場合には、撮影している動画像の記録を開始するよう記録部３１２を制御する。トリガ出力制御判断部２１５及びコマンド生成部２２１は、Ｘ接点制御信号に基づいて、ビデオカメラ３２による記録を開始する記録開始制御信号をビデオカメラ３２に供給する記録開始制御信号生成部となっている。
【００３３】
このように、第２実施形態においても、スチルカメラ１１のレリーズボタン１１３を押下すると、ビデオカメラ３２による動画像の記録が自動的に開始される。
【００３４】
スチルカメラ１１を所定の角度以上傾けると、傾き検知部２１７は所定の角度以上傾いたことを検知して、傾き検知信号をトリガ出力制御判断部２１５に入力する。トリガ出力制御判断部２１５は、傾き検知信号が入力された場合には、コマンド生成部２２１が第２のコマンド信号を生成するようコマンド生成部２２１を制御する。第２のコマンド信号も連続した複数のパルスの組み合わせによるリモコンコード信号である。同様に、第２のコマンド信号は、ビデオカメラ３２のワイヤードリモコン端子を介してコマンド受信部３２１に入力される。
【００３５】
コマンド受信部３２１は第２のコマンド信号が入力された場合には、記録制御部３１１に記録停止信号を供給する。第２のコマンド信号は記録停止制御信号である。トリガ出力制御判断部２１５及びコマンド生成部２２１は、傾き検知信号に基づいて、ビデオカメラ３２による記録を停止する記録停止制御信号をビデオカメラ３２に供給する記録停止制御信号生成部となっている。
【００３６】
このように、第２実施形態においても、スチルカメラ１１（またはビデオカメラ３２）を傾けると、ビデオカメラ３２による動画像の記録が自動的に停止される。
【００３７】
図８を用いて以上の動作について説明する。図８において、（Ａ）はレリーズボタン１１３の押下によるＸ接点制御信号、（Ｂ）は傾き検知部２１７からの傾き検知信号、（Ｃ）はビデオカメラ３２に入力される第１，第２のコマンド信号、（Ｄ）はビデオカメラ３２の記録と記録停止の状態である。上記のように、第１，第２のコマンド信号は連続した複数のパルスの組み合わせであるが、ここでは簡略化のため１個のパルス信号としている。
【００３８】
第１のコマンド信号と第２のコマンド信号とを同じリモコンコード信号とした場合には、ビデオカメラ３２の記録開始と記録停止はコマンド信号が入力されるたびに切り換わるトグル動作となる。この場合、レリーズボタン１１３が２回押下されてＸ接点制御信号が複数回出力されたり、傾き検知信号が複数回出力されたりした場合でも、第１，第２のコマンド信号がそれぞれ１回のみ出力されるようにすることが必要である。
【００３９】
第１のコマンド信号と第２のコマンド信号とを異なるリモコンコード信号とした場合には、第１，第２のトリガ出力信号がそれぞれ１回だけ出力されるように構成する必要はない。第１のコマンド信号と第２のコマンド信号とを同じリモコンコード信号とした場合の動作は、図６と同様である。但し、ステップＳ２における第１のトリガ出力信号の出力は第１のコマンド信号の出力となり、ステップＳ４における第２のトリガ出力信号の出力は第２のコマンド信号の出力となる。
【００４０】
第１のコマンド信号と第２のコマンド信号とを異なるリモコンコード信号とした場合の動作は、図９のフローチャートに示す手順となる。図９において、アダプタ２２は、ステップＳ１１にてレリーズボタン１１３が押下されたか否か判定し、押下されたらステップＳ１２にて、第１のコマンド信号を出力してビデオカメラ３２による動画像の記録を開始させる。そして、アダプタ２２は、ステップＳ１３にて所定の角度以上傾いたか否か判定し、所定の角度以上傾いたらステップＳ１４にて、第２のコマンド信号を出力してビデオカメラ３２による動画像の記録を停止させる。
【００４１】
第２実施形態によれば、スチルカメラ１１及びビデオカメラ３２はそれぞれ既存の構成でよく、特別な通信手段を必要としない。
【００４２】
＜第３実施形態＞
第３実施形態は、トリガ信号入力端子やワイヤードリモコン端子を用いず、赤外線を用いて記録の開始と停止を制御する構成である。ビデオカメラがトリガ信号入力端子やワイヤードリモコン端子を有していない場合に好適な構成である。図１０において、図１と同一部分には同一符号を付し、その説明を省略する。
【００４３】
第３実施形態においては、スチルカメラ１１が備えるアクセサリシュー１１１に図１１に示すアダプタ２３を接続する。アダプタ２３は、本体部２３１，アクセサリシュー取り付け部２３２，三脚ねじ２３３，赤外線発光部２３５を有する。第１実施形態と同様、スチルカメラ１１とビデオカメラ３３とはアダプタ２３を介して一体化される。
【００４４】
図１０に示すように、アダプタ２３は、トリガ出力信号生成部２１６の代わりに赤外線コマンド生成部２３４を有し、赤外線コマンド生成部２３４で生成された赤外線コマンドが赤外線発光部２３５に供給されるようになっている。ビデオカメラ３３は、記録制御部３１１，記録部３１２，赤外線受光部３３１，赤外線コマンド受信部３３２を有する。
【００４５】
トリガ出力制御判断部２１５は、Ｘ接点制御信号が入力された場合には、赤外線コマンド生成部２３４が第１の赤外線コマンド信号を生成するよう赤外線コマンド生成部２３４を制御する。赤外線発光部２３５は、第１の赤外線コマンド信号に基づいて赤外線による第１のリモコンコード信号を発光する。第１のリモコンコード信号は、連続した複数のパルスの組み合わせである。第１のリモコンコード信号はビデオカメラ３３の赤外線受光部３３１で受光される。赤外線受光部３３１は第１のリモコンコード信号を第１の電気信号に変換する。赤外線コマンド受信部３３２は、第１の電気信号に基づいて記録制御部３１１に記録開始信号を供給する。第１の赤外線コマンド信号及び第１のリモコンコード信号は記録開始制御信号である。
【００４６】
記録制御部３１１は記録開始信号が入力された場合には、撮影している動画像の記録を開始するよう記録部３１２を制御する。トリガ出力制御判断部２１５，赤外線コマンド生成部２３４，赤外線発光部２３５は、Ｘ接点制御信号に基づいて、ビデオカメラ３３による記録を開始する記録開始制御信号をビデオカメラ３３に供給する記録開始制御信号生成部となっている。
【００４７】
このように、第３実施形態においても、スチルカメラ１１のレリーズボタン１１３を押下すると、ビデオカメラ３３による動画像の記録が自動的に開始される。
【００４８】
スチルカメラ１１を所定の角度以上傾けると、傾き検知部２１７は所定の角度以上傾いたことを検知して、傾き検知信号をトリガ出力制御判断部２１５に入力する。トリガ出力制御判断部２１５は、傾き検知信号が入力された場合には、赤外線コマンド生成部２３４が第２の赤外線コマンド信号を生成するよう赤外線コマンド生成部２３４を制御する。赤外線発光部２３５は、第２の赤外線コマンド信号に基づいて赤外線による第２のリモコンコード信号を発光する。第２のリモコンコード信号は、連続した複数のパルスの組み合わせである。
【００４９】
第２のリモコンコード信号は赤外線受光部３３１で受光される。赤外線受光部３３１は第２のリモコンコード信号を第２の電気信号に変換する。赤外線コマンド受信部３３２は、第２の電気信号に基づいて記録制御部３１１に記録停止信号を供給する。第２の赤外線コマンド信号及び第２のリモコンコード信号は記録停止制御信号である。トリガ出力制御判断部２１５，赤外線コマンド生成部２３４，赤外線発光部２３５は、傾き検知信号に基づいて、ビデオカメラ３３による記録を停止する記録停止制御信号をビデオカメラ３３に供給する記録停止制御信号生成部となっている。
【００５０】
このように、第３実施形態においても、スチルカメラ１１（またはビデオカメラ３３）を傾けると、ビデオカメラ３２による動画像の記録が自動的に停止される。
【００５１】
第３実施形態においても、第１のリモコンコード信号と第２のリモコンコード信号とが同じリモコンコード信号であれば、第１，第２の赤外線コマンド信号がそれぞれ１回だけ出力されるように構成する。第１のリモコンコード信号と第２のリモコンコード信号とが異なるリモコンコード信号であれば、そのような必要はない。
【００５２】
第３実施形態によれば、スチルカメラ１１及びビデオカメラ３３はそれぞれ既存の構成でよく、特別な通信手段を必要としない。第３実施形態においては赤外線を用いたが、赤外線の代わりに電波を用いてもよい。
【００５３】
＜第４実施形態＞
第４実施形態は、ビデオカメラを直接スチルカメラ１１に取り付けるように構成したものである。図１２において、図１と同一部分には同一符号を付し、その説明を省略する。図１２に示すように、ビデオカメラ３４は、図１のアダプタ２１が有しているのと同じトリガ出力制御判断部２１５，トリガ出力信号生成部２１６，傾き検知部２１７を内蔵している。
【００５４】
図１３において、（Ａ）はビデオカメラ３４を上面側から見た斜視図、（Ｂ）は底面側から見た斜視図である。図１３（Ｂ）に示すように、ビデオカメラ３４は、アクセサリシュー取り付け部３４１を有する。アクセサリシュー取り付け部３４１は、Ｘ接点制御入力端子３４２を有する。スチルカメラ１１のアクセサリシュー１１１にアクセサリシュー取り付け部３４１を係合させることによって、スチルカメラ１１とビデオカメラ３４とは図１４に示すように一体化される。ビデオカメラ３４は、レンズ３４３，表示部３４４，操作部３４５，トリガ信号トリガ入力端子３４６を有する。
【００５５】
第４実施形態のビデオカメラ３４は、第１実施形態のビデオカメラ３１にアダプタ２１を内蔵させたものに相当する。ビデオカメラ３４の動作は、第１実施形態のアダプタ２１及びビデオカメラ３１と同様である。
【００５６】
図１５において、（Ａ）は図１４の正面図、（Ｂ）は図１４の側面図である。図１５（Ｂ）に示すように、スチルカメラ１１の光軸Ａxsとビデオカメラ３４の光軸Ａxvとは平行であることが好ましい。スチルカメラの光軸とビデオカメラの光軸とが平行であることが好ましいことは、上述した第１〜第３実施形態及び後述する第５，第６実施形態においても同様である。
【００５７】
図１２において、ビデオカメラ３４のトリガ出力制御判断部２１５及びトリガ出力信号生成部２１６は、他の撮影装置であるスチルカメラ１１のレリーズボタン１１３が押下されることによってスチルカメラ１１より出力されたＸ接点制御信号に基づいて、記録を開始するための記録開始制御信号を生成する記録開始制御信号生成部となっている。また、トリガ出力制御判断部２１５及びトリガ出力信号生成部２１６は、傾き検知信号に基づいて、記録を停止するための記録停止制御信号を生成する記録停止制御信号生成部となっている。
【００５８】
第４実施形態によれば、スチルカメラ１１は既存の構成でよく、ビデオカメラ３４に簡単な回路構成を付加するだけでよく、特別な通信手段を必要としない。
【００５９】
＜第５実施形態＞
第５実施形態も、ビデオカメラを直接スチルカメラに取り付けるように構成したものである。第５実施形態においては、第１〜第４実施形態のスチルカメラ１１の代わりに図１６に示すスチルカメラ１５を用いる。図１６において、図１と同一部分には同一符号を付し、その説明を省略する。第５実施形態のビデオカメラ３５の内部構成は第１実施形態のビデオカメラ３１と同じである。ビデオカメラ３５の外観形状は図１３のビデオカメラ３４と同様でよい。
【００６０】
図１６に示すように、スチルカメラ１５は、第１実施形態と同様の、Ｘ接点制御出力部１１４，トリガ出力制御判断部２１５，トリガ出力信号生成部２１６，傾き検知部２１７、及び、新たに設けたスイッチ１５１を有する。スチルカメラ１５は、図１７に示すように、外部接続ストロボ機能のモードを設定することができるようになっている。Ｘ接点出力として、アクセサリシュー１１１にストロボ装置を取り付けた場合に選択する“ストロボ”と、ビデオカメラ３５を取り付けた場合に選択する“ビデオカメラ”とのいずれかをメニューによって選択する。図１７は、“ビデオカメラ”が選択された状態を示している。
【００６１】
図１６において、スイッチ１５１は、メニューで設定されたモード設定情報に応じて、端子ａ，ｂのいずれかが選択される。モードとして“ストロボ”が選択されている場合にはスイッチ１５１は端子ａに接続し、“ビデオカメラ”が選択されている場合にはスイッチ１５１は端子ｂに接続する。スイッチ１５１が端子ｂに接続した場合のスチルカメラ１５の動作は、図１のスチルカメラ１１及びアダプタ２１と同様である。スイッチ１５１を操作部３４５によって切り換えるようにしてもよい。
【００６２】
特に図示しないが、第５実施形態においても、第２実施形態のように、トリガ信号入力端子の代わりにワイヤードリモコン端子を用いて記録の開始と停止を制御する構成とすることも可能である。この場合には、トリガ出力信号生成部２１６の代わりにコマンド生成部２２１を設け、ビデオカメラ３５の代わりにビデオカメラ３２と同様の構成とすればよい。
【００６３】
図１６において、スチルカメラ１５のトリガ出力制御判断部２１５及びトリガ出力信号生成部２１６は、レリーズボタン１１３が押下されたら、他の撮影装置による記録を開始するための記録開始制御信号を生成する記録開始制御信号生成部となっている。また、トリガ出力制御判断部２１５及びトリガ出力信号生成部２１６は、傾き検知信号に基づいて、他の撮影装置による記録を停止するための記録停止制御信号を生成する記録停止制御信号生成部となっている。スイッチ１５１は、他の装置による記録を開始させるために記録開始制御信号を出力し、他の装置による記録を停止させるための記録停止制御信号を出力する制御信号出力部となっている。
【００６４】
第５実施形態によれば、ビデオカメラ３５は既存の構成でよく、スチルカメラ１５に簡単な回路構成を付加するだけでよく、特別な通信手段を必要としない。
【００６５】
＜第６実施形態＞
第６実施形態も、ビデオカメラを直接スチルカメラに取り付けるように構成したものである。第６実施形態においては、第１〜第４実施形態のスチルカメラ１１の代わりに図１８に示すスチルカメラ１６を用いる。図１８において、図１０と同一部分には同一符号を付し、その説明を省略する。第６実施形態のビデオカメラ３６の内部構成は第３実施形態のビデオカメラ３３と同じである。
【００６６】
図１８に示すように、スチルカメラ１６は、第３実施形態と同様の、Ｘ接点制御出力部１１４，トリガ出力制御判断部２１５，傾き検知部２１７，赤外線コマンド生成部２３４，赤外線発光部２３５、及び、新たに設けたスイッチ１６１を有する。図１９に示すように、赤外線発光部２３５は、スチルカメラ１６の上面端部に設けられている。図１９において、図２と同一部分には同一符号を付している。図２０（Ａ），（Ｂ）に示すように、ビデオカメラ３６の外観形状は図１３のビデオカメラ３４と同様である。但し、ビデオカメラ３６においては、図２０（Ｂ）に示すように、底面に赤外線受光部３３１を設けている。図２０（Ａ），（Ｂ）において、図１３（Ａ），（Ｂ）と同一部分には同一符号を付している。
【００６７】
スチルカメラ１６のアクセサリシュー１１１にアクセサリシュー取り付け部３４１を係合させることによって、スチルカメラ１６とビデオカメラ３６とは図２１に示すように一体化される。この状態で、赤外線発光部２３５と赤外線受光部３３１とがほぼ対向する。なお、第６実施形態においては、スチルカメラ１６のアクセサリシュー１１１はビデオカメラ３６を取り付けるためのみに用いられる。
【００６８】
スチルカメラ１６は、図２２に示すように、赤外線リモコン出力制御のモードを設定することができるようになっている。赤外線のリモコン出力を使用するか否かを示す“しない”，“する”のいずれかをメニューによって選択する。図２２は、赤外線のリモコン出力を使用する状態である“する”が選択された状態を示している。
【００６９】
図１８において、スイッチ１６１は、メニューで設定されたモード設定情報に応じて、端子ａ，ｂのいずれかが選択される。モードとして“しない”が選択されている場合にはスイッチ１６１は端子ａに接続し、“する”が選択されている場合にはスイッチ１６１は端子ｂに接続する。スイッチ１６１が端子ｂに接続した場合のスチルカメラ１６の動作は、図１０のスチルカメラ１１及びアダプタ２３と同様である。スイッチ１６１を操作部３４５によって切り換えるようにしてもよい。
【００７０】
図１８において、スチルカメラ１６のトリガ出力制御判断部２１５及びトリガ出力信号生成部２１６は、レリーズボタン１１３が押下されたら、他の撮影装置による記録を開始するための記録開始制御信号を生成する記録開始制御信号生成部となっている。また、トリガ出力制御判断部２１５及びトリガ出力信号生成部２１６は、傾き検知信号に基づいて、他の撮影装置による記録を停止するための記録停止制御信号を生成する記録停止制御信号生成部となっている。赤外線発光部２３５は、他の装置による記録を開始させるために記録開始制御信号を出力し、他の装置による記録を停止させるための記録停止制御信号を出力する制御信号出力部となっている。
【００７１】
第６実施形態によれば、ビデオカメラ３６は既存の構成でよく、スチルカメラ１６に簡単な回路構成を付加するだけでよく、特別な通信手段を必要としない。
【００７２】
以上説明した各実施形態によれば、撮影者は、スチルカメラ１１，１５，１６によるフレーミング操作を行うことにより、ビデオカメラ３１〜３６においてもスチルカメラ１１，１５，１６と共通な画角中心のフレーミングを確実に行うことができる。スチルカメラ１１，１５，１６でズーミング操作を行ってもビデオカメラ３１〜３６の画角に影響を与えることはない。スチルカメラ１１，１５，１６による撮影に連動してビデオカメラ３１〜３６による動画像の記録を開始させることができ、スチルカメラ１１，１５，１６を垂直方向に傾けるという簡単な操作で記録を停止させることができる。なお、スチルカメラ１１，１５，１６のレンズの先端部を上方へ向けるという動作を行えばよい。
【００７３】
撮影者は、スチルカメラ１１，１５，１６のフレーミングに集中でき、安心して静止画像を撮影することが可能である。ビデオカメラ３１〜３６の画角をスチルカメラ１１，１５，１６の画角よりも広くすれば、ビデオカメラ３１〜３６によって撮影場面の全体像を動画像で記録することができる。ビデオカメラ３１〜３６のフレーミングも安定させることになり、安定した動画像を撮影することが可能となる。各実施形態によれば、ビデオカメラ３１〜３６による記録開始及び記録停止の操作は一切不要である。
【００７４】
本発明は以上説明した各実施形態に限定されることはなく、本発明の要旨を逸脱しない範囲において種々変更可能である。各実施形態では、第１の撮影装置をスチルカメラ１１，１５，１６、第２の撮影装置をビデオカメラ３１〜３６としたが、第１の撮影装置としては少なくとも静止画像の撮影及び記録機能を有するもの、第２の撮影装置としては少なくとも動画像の撮影及び記録機能を有するものであればよい。
【符号の説明】
【００７５】
１１，１５，１６  デジタルスチルカメラ（第１の撮影装置）
２１〜２３  撮影装置用アダプタ
３１〜３６  ビデオカメラ（第２の撮影装置）
１１１  アクセサリシュー
１１３  レリーズボタン
１５１，１６１  スイッチ
２１２，２３２  アクセサリシュー取り付け部
２１３，２３３  三脚ねじ（取り付け部）
２１５  トリガ出力制御判断部
２１６  トリガ出力信号生成部
２１７  傾き検知部
２２１  コマンド生成部
２３４  赤外線コマンド生成部
２３５  赤外線発光部
３１１  記録制御部
３１２  記録部
３２１  コマンド受信部
３３１  赤外線受光部
３３２  赤外線コマンド受信部
【図１】
0005862320.tif 000002
【図２】
0005862320.tif 000003
【図３】
0005862320.tif 000004
【図４】
0005862320.tif 000005
【図５】
0005862320.tif 000006
【図６】
0005862320.tif 000007
【図７】
0005862320.tif 000008
【図８】
0005862320.tif 000009
【図９】
0005862320.tif 000010
【図１０】
0005862320.tif 000011
【図１１】
0005862320.tif 000012
【図１２】
0005862320.tif 000013
【図１３】
0005862320.tif 000014
【図１４】
0005862320.tif 000015
【図１５】
0005862320.tif 000016
【図１６】
0005862320.tif 000017
【図１７】
0005862320.tif 000018
【図１８】
0005862320.tif 000019
【図１９】
0005862320.tif 000020
【図２０】
0005862320.tif 000021
【図２１】
0005862320.tif 000022
【図２２】
0005862320.tif 000023